(57)【要約】【課題】エアフィルタのメンテナンスが容易な空気調和機を提供する。【解決手段】熱交換器９と、前記熱交換器９に空気を送るファン１０と、前記ファン１０の上流側に配され吸引される空気に含まれる塵埃を捕集するエアフィルタ５と、前記エアフィルタ５に付着した塵埃を吸引する吸引ノズル１２と、吸引ケース１３を介して前記吸引ノズル１２に連通する吸引手段２１と、前記吸引ケース１３に着脱自在に装着されると共に集塵フィルタ２２を有し前記吸引ノズル１２から吸引された塵埃を捕集する集塵ケース１５とを備えたもので、エアフィルタ５に付着した塵埃を効率よく集塵ケース１５に捕集し、その集塵ケース５を着脱自在としたことにより捕集した塵埃を容易に捨てることができ、メンテナンスの極めて容易な空気調和機を提供することが出来る。【選択図】図１
2005308274.tif 000002
【特許請求の範囲】
【請求項１】
熱交換器と、前記熱交換器に空気を送るファンと、前記ファンの上流側に配され吸引される空気に含まれる塵埃を捕集するエアフィルタと、前記エアフィルタに付着した塵埃を吸引する吸引ノズルと、吸引ケースを介して前記吸引ノズルに連通する吸引手段と、前記吸引ケースに着脱自在に装着されると共に集塵フィルタを有し前記吸引ノズルから吸引された塵埃を捕集する集塵ケースとを備えたことを特徴とする空気調和機。
【請求項２】
集塵フィルタの目の大きさをエアフィルタの目の大きさと同等若しくはそれより小さく設定したことを特徴とする請求項１に記載の空気調和機。
【請求項３】
吸引ケースに吸引ノズルに連通する第１の接続口を設け、前記吸引ケースに集塵ケースを装着した時に前記第１の接続口と連通する第２の接続口を前記集塵ケースに設け、軟質材からなり前記第１の接続口と第２の接続口との気密を保つためのパッキンを配し、前記第１の接続口と前記パッキンとの接触面を、前記吸引ケースへの前記集塵ケースの装着方向に向かって内方に傾斜させたことを特徴とする請求項１又は２に記載の空気調和機。
【請求項４】
集塵フィルタあるいはその近傍に振動を発生する振動発生装置を配した請求項１〜３のいずれか１項記載の空気調和機。
【請求項５】
集塵フィルタを筒状又は袋状とし、前記集塵フィルタの側部と吸引ケースの側壁との間に隙間を確保したことを特徴とする請求項１〜４のいずれか１項記載の空気調和機。
【発明の詳細な説明】
【技術分野】
【０００１】
本発明は、エアフィルタを備えた空気調和機に関するものである。
【背景技術】
【０００２】
従来の空気調和機について、図７を用いて説明する。
【０００３】
図において、空気調和機は、筐体７と、その筐体７に内蔵されたファン１０と、ファン１０を回転駆動するファンモータ１１と、熱交換器９と、前記ファン１０に空気をガイドするエアガイダー４と、筐体７の前部に設けられ吸い込みグリル６を有する前面グリル１と、エアガイダー４と吸い込みグリル６との間に配され流入する空気に含まれる塵埃を捕集するエアフィルタ５と、筐体７の内壁に設けられた断熱材８と、熱交換器９で熱交換された空気が吹き出される吹き出し口１９と、吹き出し口１９に配され吹き出し風の風向を変える風向変更羽根２と、熱交換器９で凝縮され落下する水分を受けるドレンパンとを備えている。
【０００４】
以上の構成により、空気調和機の運転を開始すると、ファンモータ１１によりファン１０が回転し、前面グリル１に設けた吸い込みグリル６から室内の空気が吸引され、エアフィルタ５、エアガイダー４を通過し、熱交換器９で熱交換され、吹き出し口１９より吹き出される。この間、空気に混在する塵埃はエアフィルタ５に付着し空気調和機の内部に塵埃が浸入しない構造となっている。
【０００５】
そして、エアフィルタ５は、付着した塵埃を定期的に清掃する時の便宜を図るため容易に着脱出来るように構成されている。
【０００６】
また、エアフィルタの清掃を容易にする為に、エアフィルタの表面に沿って回転しながら移動する回転ブラシと、その回転ブラシを下方から覆うと共に吸引口を有するブラシカバーを備え、前記吸引口に電気掃除機の吸引ノズルを接続してエアフィルタを清掃するようにした空気調和装置の室内機がある（例えば、特許文献１参照）。
【０００７】
また、ベルト状のエアフィルタが回転し、それに接触するブラシで塵埃を掻き落とすものもある（例えば、特許文献２参照）。
【特許文献１】特開平１１−２２６３３１号公報
【特許文献２】特開平６−７４５２１号公報
【発明の開示】
【発明が解決しようとする課題】
【０００８】
しかしながら、従来のエアフィルタを着脱自在にした空気調和機では、空気調和機の使用頻度に応じて空気調和機よりエアフィルタを取り外し、水洗いもしくは掃除機などで付着した塵埃を掃除するというメンテナンスが定期的に必要で、特に天井に埋め込まれたタイプにおいては非常な手間と労力を要するという課題があった。また、定期的にメンテナンスが成されなかった場合、エアフィルタに塵埃が堆積し吸込み空気の通気抵抗が増大するため空気調和機の性能が低下、消費電力が増大するという課題があった。
【０００９】
また、回転ブラシでエアフィルタを清掃するようにした空気調和装置では、ブラシカバーに電気掃除機の吸引ノズルを接続した状態でエアフィルタの表面に沿って回転ブラシを移動させなければならず、大変な労力を要するものであった。
【００１０】
また、ベルト状のフィルタを備えた空気調和装置では、構成が複雑で、しかもエアフィルタがベルト状になっているため、吸引装置が大型になるという課題があった。
【００１１】
本発明は、上記従来の課題を解決するもので、大型化することなく、エアフィルタの清掃が極めて容易な空気調和機を提供する事を目的とする。
【課題を解決するための手段】
【００１２】
上記従来の課題を解決するために、本発明の空気調和機は、熱交換器と、前記熱交換器に空気を送るファンと、前記ファンの上流側に配され吸引される空気に含まれる塵埃を捕集するエアフィルタと、前記エアフィルタに付着した塵埃を吸引する吸引ノズルと、吸引ケースを介して前記吸引ノズルに連通する吸引手段と、前記吸引ケースに着脱自在に装着されると共に集塵フィルタを有し前記吸引ノズルから吸引された塵埃を捕集する集塵ケースとを備えたもので、エアフィルタに付着した塵埃が、内蔵された吸引ノズルで吸引され効率よく集塵ケースに捕集され、その集塵ケースを着脱自在としたことにより捕集した塵埃を容易に捨てることができ、メンテナンスの極めて容易な空気調和機を提供することが出来る。
【発明の効果】
【００１３】
本発明の空気調和機によれば、エアフィルタ上の塵埃が内蔵された吸引ノズルで吸引され、着脱自在の集塵ケースに効率良く捕集されるので、エアフィルタのメンテナンス並びに塵埃の廃棄が極めて容易である。
【発明を実施するための最良の形態】
【００１４】
第１の発明は、熱交換器と、前記熱交換器に空気を送るファンと、前記ファンの上流側に配され吸引される空気に含まれる塵埃を捕集するエアフィルタと、前記エアフィルタに付着した塵埃を吸引する吸引ノズルと、吸引ケースを介して前記吸引ノズルに連通する吸引手段と、前記吸引ケースに着脱自在に装着されると共に集塵フィルタを有し前記吸引ノズルから吸引された塵埃を捕集する集塵ケースとを備えたもので、エアフィルタに付着した塵埃が、内蔵された吸引ノズルで吸引され効率よく集塵ケースに捕集され、その集塵ケースを着脱自在としたことにより捕集した塵埃を容易に捨てることができ、メンテナンスの極めて容易な空気調和機を提供することが出来る。
【００１５】
第２の発明は、第１の発明の集塵フィルタの目の大きさをエアフィルタの目の大きさと同等若しくはそれより小さく設定したもので、フィルタに付着した塵埃を吸引ノズルで吸引する際に細かく分離した塵埃も集塵フィルタにて確実に捕集することが出来る。
【００１６】
第３の発明は、第１又は第２の発明の吸引ケースに吸引ノズルに連通する第１の接続口を設け、前記吸引ケースに集塵ケースを装着した時に前記第１の接続口と連通する第２の接続口を前記集塵ケースに設け、軟質材からなり前記第１の接続口と第２の接続口との気密を保つためのパッキンを配し、前記第１の接続口と前記パッキンとの接触面を、前記吸引ケースへの前記集塵ケースの装着方向に向かって内方に傾斜させたもので、吸引された空気や塵埃が第１、第２の接続口の所で漏れたり、集塵ケースの着脱時にも、パッキンが吸引ケースに引っ掛かったりせず、スムースに着脱が出来、かつ、吸引ケースを集塵ケースに挿入した時、吸引ケースと集塵ケースとの気密も確実に確保される。
【００１７】
第４の発明は、第１〜３のいずれか１つの発明の集塵フィルタあるいはその近傍に振動を発生する振動発生装置を配したもので、集塵フィルタに付着して目詰まりし、吸引ノズルによる吸引力だけでは取れない塵埃も、振動発生装置によりふるい落とされて、確実に吸引ノズルで吸引されるので、集塵フィルタの目詰まりを防止することができる。
【００１８】
第５の発明は、第１〜４のいずれか１つの発明の集塵フィルタを筒状又は袋状とし、前記集塵フィルタの側部と吸引ケースの側壁との間に隙間を確保したもので、集塵フィルタの下流側が堆積した塵埃によって目詰まりしてきても、集塵フィルタの側部と吸引ケースとの間に隙間があるので、空気通路が確保され、吸引ファンの吸引力を効率的に、しかも持続的に集塵ケースに与えることが出来る。
【００１９】
以下、本発明の実施の形態について、図面を参照しながら説明する。なお、本実施の形態によって本発明が限定されるものではない。
【００２０】
（実施の形態１）
図１は、本発明の第１の実施の形態における空気調和機の断面図、図２は同空気調和機の分解斜視図、図３は同空気調和機の集塵ユニットの断面図、図４は同集塵ユニットの集塵ケースの斜視図である。なお、従来例と同一部分については、同一符号を用いてその説明を省略する。
【００２１】
空気調和機の内部に配設したファン１０の回転により、前面グリル１に設けた吸い込みグリル６、エアフィルタ５、エアガイダー４を通過し、熱交換器９で熱交換され、吹き出し口１９より吹き出される。この間、空気に混在する塵埃はエアフィルタ５に付着し空気調和機の内部に塵埃が付着しないようになっている。
【００２２】
図において、エアフィルタ５は円盤状に形成され、トレイ１６上に回転自在に設けられている。エアフィルタ５のフレーム５ｂの外周部には、駆動ユニット１４の歯車１４ａが噛合う歯車５ａが形成され、駆動ユニット１４を駆動する事により、トレイ１６に形成された回転軸（図示せず）を中心に、エアフィルタ５が回転するようになっている。
【００２３】
吸引ノズル１２は、ダクト１８を介して集塵ユニット３０に接続された吸引ノズルで、エアフィルタ５の前面側に対峙するよう配置されると共にエアフィルタ５に付着した塵埃を吸引するスリット状の吸込み部１２ａを備えている。
【００２４】
集塵ユニット３０は、吸引のための吸引ユニット１７を有する吸引ケース１３と、吸引ケース１３に着脱自在に装着されると共に、吸引した塵埃を捕集する集塵ケース１５とを備え、吸引ユニット１７を動作させると同時に駆動ユニット１４を動作させると、エアフィルタ５がトレイ１６上で回転し、そのエアフィルタ５の上流側に付着した塵埃が、吸引ノズル１２の吸い込み口１２ａで吸引され、ダクト１８を通過し、集塵ケース１５に至るようになっている。
【００２５】
吸引ケース１３は、筒状になっており下部に近い側壁にダクト１８が接続される第１の接続口１３ａを有し、下部は、集塵ケース１５が挿入される開口となっており、上部は吸引ユニット１７を取りつけるための開口となっている。吸引ユニット１７は塵埃を吸引するために、吸引ファン２０と、吸引ファン２０を駆動するためのモータ２１ａからなる吸引手段２１を備えている。
【００２６】
集塵ケース１５の下部には、吸引ケース１３のダクト１８との第１の接続口１３ａと連通接続される第２の接続口１５ａと、集塵ケース１５を着脱する時の取っ手１５ｂが設けられている。
【００２７】
また、集塵ケース１５の上部には、吸引ファン２０にて吸引される塵埃を集塵ケース１５内に集塵するための集塵フィルタ２２を有している。集塵フィルタ２２は、ネット２２ａと、フレーム２２ｂの部分からなり、フレーム２２ｂはゴム等の軟質の材質からなり、集塵ケース１５の蓋の役目を果たすと同時に、集塵ケース１５と吸引ケース１３との間の
気密を保つパッキンの役目も果たしている。
【００２８】
また、エアフィルタ５に付着した塵埃を吸引ファン２０にて吸引すると、塵埃は吸い込みノズル１２とダクト１８を通過する間に細かくなるものもある為、ネット２２ａの目の大きさはエアフィルタ５の目の大きさと同等かそれより小さく設定されており、集塵フィルタ２２にて確実に塵埃を捕集する構造としている。
【００２９】
集塵ケース１５の第２の接続口１５ａにはパッキン２４が取り付けられている。パッキン２４はゴム等の軟質の材料からなり吸引ケース１３と集塵ケース１５の第１、第２の接続口１３ａ、１５ａの部分より塵埃や空気が漏れるのを防止している。
【００３０】
また、パッキン２４の吸引ケース１３の第１の接続口１３ａに接する面には、集塵ケース１５の吸引ケース１３への挿入方向（図３では、上向き）に向かって内方に傾いたテーパを設けており、吸引ケース１３のパッキン２４と接する面にも同じテーパを設けている。これにより、集塵ケースの着脱時、パッキン２４の厚みを吸引ケース１３と集塵ケース１５の隙間より若干大きめにしてもスムースに着脱でき、かつ、パッキン２４と吸引ケース１３との密着も確実にすることが出来る。また、集塵ケース１５を吸引ケース１３から抜く時に、テーパによりパッキン２４が、吸引ケース１３に引っ掛かることもない。
【００３１】
スライドツマミ２３は、集塵ケース１５の取っ手１５ｂの部分にスライド自在に取り付けられたスライドツマミで、集塵ケース１５を吸引ケース１３に固定する役目をしており、外方にスライドすることにより集塵ケース１５を吸引ケース１３から取り外すことが出来る構造となっている。よって、集塵ケース１５が塵埃でいっぱいになれば、スライドレバー２３をスライドして、吸引ケース１３との固定をはずし、取っ手１５ｂの部分を掴んで下に引けば集塵ケース１５を外すことが出来、さらに集塵フィルタ２２を開けば捕集された塵埃を捨てることが出来る。
【００３２】
集塵フィルタ２２のネット２２ａは、空気調和機の使用時間や塵埃の種類によっては目詰まりを生じる場合がある。これを防止するために、ネット２２ａ上に直接、またはネット２２ａの近傍に、振動を発生する振動発生装置（図示せず）を備え、振動発生装置の動作により、ネット２２ａを振動させてネット２２ａに付着した塵埃を振るい落とす構造としても良い。
【００３３】
（実施の形態２）
図５は、本発明の第２の実施の形態における空気調和機の集塵ユニットの断面図で、図６は、同集塵ユニットの集塵ケースの斜視図である。なお、上記第１の実施の形態と同一部分については、同一符号を付してその説明を省略し、主として第１の実施の形態との相違点のみを説明する。
【００３４】
図５、６において、集塵ケース２５は、吸引ケース１３のダクト１８との第１の接続口１３ａと接続される接続口２５ａと、集塵ケース２５を着脱する時の取っ手２５ｂを有している。集塵ケース２５の上部には、吸引ファン２０にて吸引される塵埃を集塵ケース２５内に集塵するための集塵フィルタ２６を有している。集塵フィルタ２６は有底筒状で、ネット２６ａとそれを支持するフレーム２６ｂからなり、フレーム２６ｂは可とう性の爪２６ｃを有し、集塵ケース２５に着脱自在に取り付けられている。また、集塵フィルタ２６のネット２６ａと吸引ケース１３の側壁との間に隙間を確保している。
【００３５】
これにより、集塵フィルタ２６の天井面が塵埃で目詰まりしたとしても吸引空気は集塵フィルタ２６と吸引ケース１３の間の隙間の部分を通って流れるので、吸引力が容易に低下する事が無い。
【００３６】
以上のように、本実施の形態によれば、集塵フィルタ２６のネット２６ａの面積が広くなり、しかも側面からも空気を流すことが出来るので、塵埃による目詰まりに至る寿命を伸ばすことが可能となる。
【００３７】
なお、上記実施の形態では、集塵フィルタ２２、２６をネットとそれを支持するフレームで形成したが、一般の電気掃除機等の集塵袋として使用される布袋や紙袋で形成しても良い。
【産業上の利用可能性】
【００３８】
本発明の空気調和機は、内蔵された吸引ノズルでエアフィルタに付着した塵埃を吸引し着脱自在な集塵ケースに捕集することにより、簡単な構成でエアフィルタに付着した塵埃を取り除き、空気調和機の性能低下防止に寄与できるもので、空気調和機に限らず、エアフィルタを有する空気清浄機、換気装置等の用途にも適用できる。
【図面の簡単な説明】
【００３９】
【図１】本発明の実施の形態１における空気調和機の断面図
【図２】同空気調和機の分解斜視図
【図３】同空気調和機の集塵ユニットの断面図
【図４】同集塵ユニットの集塵ケースの斜視図
【図５】本発明の実施の形態２における空気調和機の集塵ユニットの断面図
【図６】同集塵ユニットの集塵ケースの斜視図
【図７】従来の空気調和機の断面図
【符号の説明】
【００４０】
５  エアフィルタ
９  熱交換器
１０  ファン
１１  ファンモータ
１２  吸引ノズル
１２ａ  吸い込み口
１３  吸引ケース
１３ａ  第１の接続口
１５  集塵ケース
１５ａ  第２の接続口
２１  吸引手段
２２  集塵フィルタ
２４  パッキン
２５  集塵ケース
【図１】
2005308274.tif 000003
【図２】
2005308274.tif 000004
【図３】
2005308274.tif 000005
【図４】
2005308274.tif 000006
【図５】
2005308274.tif 000007
【図６】
2005308274.tif 000008
【図７】
2005308274.tif 000009